(57)【要約】【課題】幼児が食事をするときも幼児が容易に使用でき、必要に応じて、複数種類の食物を相互に混ざることなく載置できる組み合わせ皿を提供する。【解決手段】組み合わせ皿１０は、大皿１１と小皿１２とを含む。大皿１１は周壁部１７と、中央部１５と、その間に小皿を載置する凹部１６を含む。小皿１２は、大皿１１の中央部１５の傾斜面に沿う前方傾斜底面１２ｄと、周壁部の傾斜面に沿う後方傾斜底面１２ｆとを有する。【選択図】        図２
2004255088.tif 000002
【特許請求の範囲】
【請求項１】
なだらかに隆起した中央部と、端部から上方になだらかに立ち上がった周壁部とを有する大皿と、
前記大皿の中央部と周壁部との間に載置される小皿とを含み、
前記小皿は前記中央部の傾斜面に沿う前方傾斜底面と、前記周壁部の傾斜面に沿う後方傾斜底面とを有する、組み合わせ皿。
【請求項２】
前記周壁部は円形である、請求項１に記載の組み合わせ皿。
【請求項３】
前記小皿は所定形状の底面と前記大皿の周壁に沿った第１の辺と、前記第１の辺の両端部から前記皿の中央部に向かい、そこで相互に接続される第２および第３の辺とを含む、請求項１または２に記載の組み合わせ皿。
【請求項４】
前記小皿の第２および第３の辺は、相互の接続点においてその高さが０である、請求項３に記載の組み合わせ皿。
【請求項５】
前記小皿の底面の所定形状は、前記小皿が前記大皿の円形の中心を軸として回転可能な形状である、請求項３または４に記載の組み合わせ皿。
【発明の詳細な説明】
【０００１】
【発明の属する技術分野】
この発明は組み合わせ皿に関し、特に、幼児の食事に使用できる組み合わせ皿に関する。
【０００２】
【従来の技術】
従来の各種の組み合わせ可能な皿が公知である。
【０００３】
【発明が解決しようとする課題】
従来の、組み合わせ皿は美観のために組み合わされることが多く、幼児にとっての使用はあまり考慮されていなかった。また、組み合わせ皿としての機能が十分発揮されていなかった。
【０００４】
この発明は上記のような問題点に着目してなされたもので、幼児が食事をするときも幼児が容易に使用でき、必要に応じて、複数種類の食物を相互に混ざることなく載置できる組み合わせ皿を提供することを目的とする。
【０００５】
【課題を解決するための手段】
この発明にかかる組み合わせ皿は、なだらかに隆起した中央部と、端部から上方になだらかに立ち上がった周壁部とを有する大皿と、大皿の中央部と周壁部との間に載置される小皿とを含み、小皿は中央部の傾斜面に沿う前方傾斜底面と、周壁部の傾斜面に沿う後方傾斜底面とを有する。
【０００６】
小皿が、中央部の傾斜面に沿う傾斜底面と、周壁部の傾斜面に沿う後方傾斜底面とを有するため、小皿は大皿の周壁部と中央部との間で任意の位置に載置される。その結果、大皿上の任意の位置で、小皿に載せる食物と、載せない食物に相互に混ざることなく分けることが可能になる。
【０００７】
大皿に載せる小皿の枚数を増やせば、それだけ多くの食物を分離して大皿の上に置くことができる。
【０００８】
好ましくは、周壁部は円形である。
【０００９】
好ましくは、小皿は所定形状の底面と大皿の周壁部に沿った第１の辺と、第１の辺の両端部から皿の中央部に向かい、そこで相互に接続される第２および第３の辺とを含む。
【００１０】
小皿を略三角形にできるため、複数の小皿を円形の皿部に載置できる。
【００１１】
さらに好ましくは、小皿の第２および第３の辺は、相互の接続点においてその高さが０である。
【００１２】
さらに好ましくは、小皿の底面の所定形状は、小皿が大皿の円形の中心を軸として回転可能な形状である。
【００１３】
その結果、小皿が皿部の円形の中心を軸として回転可能である。
【００１４】
【発明の実施の形態】
以下この発明の実施の形態を図面を参照して説明する。
【００１５】
図１はこの発明の一実施の形態に係る組み合わせ皿の平面図である。図１を参照して、この発明の一実施の形態にかかる組み合わせ皿１０は、大皿１１と大皿１１の上に載置された小皿１２−１４とを含む。大皿１１は、なだらかに隆起した中央部１５と、大皿１１の端部から上方になだらかに立ち上がった周壁部１７とを有する（図２参照）。
【００１６】
小皿１２−１４は中央部１５と周壁部１７との間に両者によって位置決めされて載置される。
【００１７】
図１では皿部１１は円形であるが、これに限る物ではなく、楕円形等であっても良い。皿部１１の周囲には、幼児が一方の手で皿部１１を保持するための、平面状の持ち手部１９が設けられる。
【００１８】
図２は図１のＩＩ−ＩＩで示す部分の断面図である。図２に示すように、皿１１の外周には、円周状の周壁部１７が設けられ、周壁部１７の周辺部に、円周状の凹部１６が形成される。
【００１９】
高さとしては、持ち手部１９が最も高く、持ち手部１９につながる周壁部１７から凹部１６まで、および凹部１６から中央部１５まではそれぞれなだらかに接続されている。
【００２０】
また、大皿１１の底面には円周状の底部１８が設けられている。底部１８の円周は必ずしも連続している必要はない。
【００２１】
図３は、図１の状態から、大皿１１上の１つの小皿１３を取り出し、大皿１１上に２つの小皿１２および１４が残された状態を示す図である。このように、小皿１２、１３、１４は任意の位置に自由に大皿１１上に載置できる。
【００２２】
図４は小皿の一例としての小皿１２の形状を示す図である。図１、図２および図４を参照して小皿１２の形状について説明する。小皿１２は大皿１１の周壁部１７に沿った第１の辺１２ａと、第１の辺１２ａの両端部から大皿１１の中央部１５に向かい、そこで相互に接続される第２および第３の辺１２ｂ、１２ｃと底部１２ｄとを含む。
【００２３】
底部１２ｄは平面的には略三角形状であり、それぞれの辺１２ａ、１２ｂ、１２ｃと底面と滑らかに接続されている。また、第２の辺１２ｂと第３の辺１２ｃとのなす角度は、大皿１１上に小皿を３つ置く場合は、ほぼ６０度が好ましい。しかしながら、これに限る物ではない。
【００２４】
小皿１３の第２および第３の辺１２ｂ、１２ｃの側面形状は図４（Ｃ）に示すように、第２および第３の辺１２ｂ，１２ｃの交わる部分１２ｅで高さがほぼ０であり、そこから立ち上がって第１の辺１２ａ近傍までほぼ持ち手部の高さになっている。小皿１２の各辺が交わる部分の角度はそれぞれ丸みを帯びるように選ばれている。
【００２５】
なお、小皿１２の底面１２ｄの所定形状は、小皿１２が大皿１１の円形の中心を軸（図２においてＸ−Ｘで示す）として回転したとき、任意の位置において同様に載置可能な形状である。具体的には、小皿１２は大皿１１の中央部１５の傾斜面に沿う前方傾斜底面１２ｄと、周壁部１７の傾斜面に沿う後方傾斜底面１２ｆとを有する（図２参照）。
【００２６】
なお、大皿１１の底部１８には幼児が持ち手１９で大皿１１を支えながら食事するときに大皿１１が滑らないようにすべり止めを設けるのが好ましい。
【００２７】
皿１０の使用時において、図１に示すように大皿１１上に小皿を３個相互に離して配置することによって、大皿１１上を６つの領域に分けて使用することができ、異なる複数の食物を相互に混ざることなく分離して１枚の皿の上に置くことができる。
【００２８】
図面を参照してこの発明の一実施形態を説明したが、本発明は、図示した実施形態に限定されるものではない。本発明と同一の範囲内において、または均等の形態に限定されるものではない。本発明と同一の範囲内において、または均等の範囲内において、図示した実施形態に対して種々の変更を加えることが可能である。そのいくつかを例示的に列挙して説明する。
【００２９】
（１）上記実施の形態においては小皿を３個設けた例について説明したが、これに限らず、任意の個数の小皿を載置できる。
【００３０】
（２）上記実施の形態では皿の材質を特に規定しなかったが、ポリプロピレンが好ましい。しかしながら、任意の材料も使用可能である。
【図面の簡単な説明】
【図１】この発明の一実施の形態にかかる、組み合わせ皿の平面図である。
【図２】図１においてＩＩ−ＩＩで示す部分の断面図である。
【図３】大皿の上に小皿を載置した状態を示す斜視図である。
【図４】小皿を示す図である。
【符号の説明】
１０  組み合わせ皿、１１  大皿、１２、１３、１４、  小皿、１５  中央部、１６  凹部、１７  周壁部、１８  底部、１９  持ち手部。
【図１】
2004255088.tif 000003
【図２】
2004255088.tif 000004
【図３】
2004255088.tif 000005
【図４】
2004255088.tif 000006